(57)【要約】【課題】ユーザが場所を移動したときに、新しい場所にある機器を前の場所にあった同じ種類の機器と同じ状態にできる機器制御システムを提供する。【解決手段】  機器制御システムは、複数の場所に設けられた各機器４０と、各機器４０を制御する携帯端末１０と、各部屋に設けられ、その部屋内にある携帯端末１０に場所情報を送信する近接検知装置６０とを備える。携帯端末１０は、複数の機器４０のうち自端末と同じ場所にある機器４０の状態を記憶する他端末情報記憶部を有する。近接検知装置６０から受信した場所情報が他端末情報記憶部に記憶された場所情報から変化したときに、複数の機器４０のうち変化後の場所にある機器４０を記憶された機器４０の状態にするための制御信号を送信する。【選択図】図１
2005244705.tif 000002
【特許請求の範囲】
【請求項１】
複数の場所に設けられた各機器と通信可能な携帯端末であって、
前記各機器を制御するための制御信号を前記各機器に送信する制御信号送信手段と、
前記複数の機器のうち前記携帯端末と同じ場所にある機器の状態を取得する機器状態取得手段と、
前記機器状態取得手段により取得した機器の状態を記憶する機器状態記憶手段と、
前記場所を示す場所情報をその場所内にある携帯端末に送信する場所情報通知装置から前記場所情報を受信する場所情報受信手段と、
前記場所情報受信手段によって受信した場所情報を記憶する場所情報記憶手段と、
前記場所情報受信手段によって受信した場所情報が前記場所情報記憶手段に記憶された場所情報から変化した場合に、前記複数の機器のうち変化後の場所にある機器を前記機器状態記憶手段に記憶された機器の状態にするための制御信号を前記制御信号送信手段に送信させる制御手段と、
を備えたことを特徴とする携帯端末。
【請求項２】
前記機器状態記憶手段は、前記機器状態取得手段にて取得した機器状態を複数記憶し、
前記制御手段は、前記機器状態記憶手段から変化後に場所にある機器に適用する機器状態を読み出し、前記複数の機器のうち変化後の場所にある機器を読み出した機器状態にするための制御信号を前記制御信号送信手段に送信させることを特徴とする請求項１に記載の携帯端末。
【請求項３】
複数の場所に設けられた各機器が接続されたネットワークに接続する携帯端末であって、
前記各機器を制御するための制御信号を前記各機器に送信する制御信号送信手段と、
前記場所を示す場所情報をその場所内にある携帯端末に送信する場所情報通知装置から前記場所情報を受信する場所情報受信手段と、
前記場所情報受信手段によって受信した場所情報を記憶する場所情報記憶手段と、
前記場所情報受信手段によって受信した場所情報が前記場所情報記憶手段に記憶された場所情報から変化した場合に、前記複数の機器のうち変化前の場所に設けられた機器から、その機器の状態を前記ネットワークを通じて取得し、前記複数の機器のうち変化後の場所にある機器を取得した前記機器の状態にするための制御信号を前記制御信号送信手段に送信させる制御手段と、
を備えたことを特徴とする携帯端末。
【請求項４】
前記制御手段は、前記複数の機器のうち変化前の場所にある機器と通信を行っていた通信相手の機器に対し、その通信相手の機器と変化後の場所にある機器との間の通信を接続するための制御信号を、前記制御信号送信手段に送信させることを特徴とする請求項１または３に記載の携帯端末。
【請求項５】
前記制御手段は、前記場所情報受信手段によって受信した場所情報が前記場所情報記憶手段に記憶された場所情報から変化した場合に、変化前の場所に設けられた機器の電源を切断するための制御信号を前記制御信号送信手段に送信させることを特徴とする請求項１または３に記載の携帯端末。
【請求項６】
前記場所情報受信手段によって受信した場所情報が前記場所情報記憶手段に記憶された場所情報から変化した場合に、変化後の場所にある機器からその機器を制御するための制御信号の情報を受信する制御信号情報受信手段を備えたことを特徴とする請求項１または３に記載の携帯端末。
【請求項７】
自端末と同じ場所にある機器の情報を操作可能機器として提示する操作可能機器提示手段を備えたことを特徴とする請求項１または３に記載の携帯端末。
【請求項８】
前記場所の情報に関連付けて自端末の制御方法の情報を記憶した制御方法記憶手段を備え、
前記制御手段は、前記場所情報受信手段によって受信した場所情報が前記場所情報記憶手段に記憶された場所情報から変化した場合に、変化後の場所情報に対応した制御方法の情報を前記制御方法記憶手段から読み出し、読み出した制御方法に従って自端末を制御することを特徴とする請求項１または３に記載の携帯端末。
【請求項９】
場所の情報に関連付けて自端末の制御方法の情報を記憶する制御方法記憶手段と、
前記場所を示す場所情報をその場所内にある携帯端末に送信する場所情報通知装置から前記場所情報を受信する場所情報受信手段と、
前記場所情報受信手段によって受信した場所情報を記憶する場所情報記憶手段と、
前記場所情報受信手段によって受信した場所情報が前記場所情報記憶手段に記憶された場所情報から変化した場合に、変化後の場所情報に対応した制御方法の情報を前記制御方法記憶手段から読み出し、読み出した制御方法に従って自端末を制御する制御手段と、
を備えたことを特徴とする携帯端末。
【請求項１０】
前記制御方法として自端末の状態を場所の情報に関連付けて前記制御方法記憶手段に記憶させる制御方法更新手段を備え、
前記制御手段は、前記場所情報受信手段によって受信した場所情報が前記場所情報記憶手段に記憶された場所情報から変化した場合に、変化後の場所情報に対応した自端末の状態を読み出し、自端末を、読み出した自端末の状態と同じ状態になるように制御することを特徴とする請求項９に記載の携帯端末。
【請求項１１】
複数の場所に設けられた各機器と、前記各機器を制御する携帯端末と、前記各場所に設けられ、その場所内にある携帯端末に場所を示す場所情報を送信する場所情報通知装置と、を備え、
前記携帯端末は、前記機器を制御するための制御信号を前記機器に送信する制御信号送信手段と、前記複数の機器のうち自端末と同じ場所にある前記機器の状態を記憶する機器状態記憶手段と、前記場所情報通知装置から前記場所情報を受信する場所情報受信手段と、前記場所情報受信手段によって受信した場所情報を記憶する場所情報記憶手段と、前記場所情報受信手段によって受信した場所情報が前記場所情報記憶手段に記憶された場所情報から変化した場合に、前記複数の機器のうち変化後の場所にある機器を前記機器状態記憶手段に記憶された機器の状態にするための制御信号を前記制御信号送信手段に送信させる制御手段と、を備えたことを特徴とする機器制御システム。
【請求項１２】
複数の場所に設けられた機器と、前記機器を制御する携帯端末と、前記各場所に設けられ、その場所内にある携帯端末に場所を示す場所情報を送信する場所情報通知装置と、を備え、
前記携帯端末は、前記機器を制御するための制御信号を前記機器に送信する制御信号送信手段と、前記場所情報通知装置から前記場所情報を受信する場所情報受信手段と、前記場所情報受信手段によって受信した場所情報を記憶する場所情報記憶手段と、前記場所情報受信手段によって受信した場所情報が前記場所情報記憶手段に記憶された場所情報から変化した場合に、前記複数の機器のうち変化前の場所に設けられた機器から、その機器の状態の情報を取得し、前記複数の機器のうち変化後の場所にある機器を取得した前記機器の状態にするための制御信号を前記制御信号送信手段に送信させる制御手段と、を備えたことを特徴とする機器制御システム。
【請求項１３】
複数の場所に設けられた機器を携帯端末によって制御する方法であって、
自端末と同じ場所にある前記機器の状態を機器状態記憶手段に記憶し、
場所を示す場所情報をその場所内にある携帯端末に送信する場所情報通知装置から前記場所情報を受信し、
受信した場所情報がその前に受信した場所情報から変化した場合に、前記複数の機器のうち変化後の場所にある機器を前記機器状態記憶手段に記憶された機器の状態にするための制御信号を送信する、
ことを特徴とする機器制御方法。
【請求項１４】
複数の場所に設けられた機器を携帯端末によって制御する方法であって、
場所を示す場所情報をその場所内にある携帯端末に送信する場所情報通知装置から前記場所情報を受信し、
受信した場所情報がその前に受信した場所情報から変化した場合に、変化前の場所に設けられた機器から、その機器の状態の情報を取得し、前記複数の機器のうち変化後の場所にある機器を取得した機器の状態にするための制御信号を送信する、
ことを特徴とする機器制御方法。
【発明の詳細な説明】
【技術分野】
【０００１】
本発明は、一つの携帯端末によって複数の機器を制御する機器制御システムに関する。
【背景技術】
【０００２】
従来から、複数の機器を制御可能なリモコンが知られている。例えば、特許文献１には、一台の携帯電話機に複数の機器を制御するリモートコントロール機能を持たせることができる携帯電話システムが開示されている。特許文献１に記載された携帯電話システムは、携帯電話機と、携帯電話機と無線によって接続される基地局と、リモコンコード配信センタとを備える。この構成において、リモコンコード配信センタは、携帯電話機から要求のあったリモコンコードを携帯電話機に配信する。ユーザは、携帯電話機にてメーカーや製品の型式を指定して、操作したい複数のリモコンコードを取得することにより、一台の携帯電話機で複数の製品を制御することができる。
【特許文献１】特開２００１−２８５９４５号公報
【発明の開示】
【発明が解決しようとする課題】
【０００３】
リモコンの制御対象となる機器が複数の場所に存在する場合には、次のようなニーズがある。すなわち、ユーザがある場所から新しい場所に移動したときに、新しい場所にある機器を元の場所の機器と同じ状態にしたいというニーズである。例えば、ある部屋で快適であったエアコンの温度を新しい部屋で設定すれば、新しい部屋でも引き続き快適に過ごすことができる。
【０００４】
上記した特許文献１に記載のシステムでは、一台の携帯電話機によって複数の機器を制御できるので、新しい部屋の機器を制御して所望の状態にすることはできるが、ユーザが機器の制御を行う必要があり、面倒であった。また、特開２０００−２３６５８８号公報には、ユーザを検知したときに自動的に作動制御を行う遠隔操作装置が開示されているが、この遠隔操作装置はユーザを検知したときに自動的に照明を点灯させるに過ぎず、上記したニーズに応えるものではなかった。
【０００５】
そこで、本発明は上記背景に鑑み、ユーザが場所を移動したときに、新しい場所にある機器を前の場所にあった同じ種類の機器と同じ状態にできる機器制御システムを提供することを目的とする。
【課題を解決するための手段】
【０００６】
本発明の携帯端末は、複数の場所に設けられた各機器と通信可能な携帯端末であって、前記各機器を制御するための制御信号を前記各機器に送信する制御信号送信手段と、前記複数の機器のうち前記携帯端末と同じ場所にある機器の状態を取得する機器状態取得手段と、前記機器状態取得手段により取得した機器の状態を記憶する機器状態記憶手段と、前記場所を示す場所情報をその場所内にある携帯端末に送信する場所情報通知装置から前記場所情報を受信する場所情報受信手段と、前記場所情報受信手段によって受信した場所情報を記憶する場所情報記憶手段と、前記場所情報受信手段によって受信した場所情報が前記場所情報記憶手段に記憶された場所情報から変化した場合に、前記複数の機器のうち変化後の場所にある機器を前記機器状態記憶手段に記憶された機器の状態にするための制御信号を前記制御信号送信手段に送信させる制御手段とを備えた構成を有する。
【０００７】
この構成により、携帯端末がある場所にある機器の状態を機器状態記憶手段に記憶しているので、場所情報通知装置から送信される場所の情報が変化したとき、すなわち、携帯端末が別の場所に移動したときには、機器状態記憶手段から前の場所の機器の状態を読み出し、読み出した機器の状態を用いて新しい場所の機器の状態を前の場所の機器と同じ状態にすることができる。
【０００８】
また、本発明の携帯端末において、前記機器状態記憶手段は、前記機器状態取得手段にて取得した機器状態を複数記憶し、前記制御手段は、前記機器状態記憶手段から変化後の場所にある機器に適用する機器状態を読み出し、前記複数の機器のうち変化後の場所にある機器を読み出した機器状態にするための制御信号を前記制御信号送信手段に送信させてもよい。
【０００９】
この構成により、複数の場所の機器状態を機器状態記憶手段に蓄積しているので、変化後の部屋の機器の状態を２つ以上前の場所にある機器の状態とすることが可能である。
【００１０】
本発明の別の態様に係る携帯端末は、複数の場所に設けられた各機器が接続されたネットワークに接続する携帯端末であって、前記各機器を制御するための制御信号を前記各機器に送信する制御信号送信手段と、前記場所を示す場所情報をその場所内にある携帯端末に送信する場所情報通知装置から前記場所情報を受信する場所情報受信手段と、前記場所情報受信手段によって受信した場所情報を記憶する場所情報記憶手段と、前記場所情報受信手段によって受信した場所情報が前記場所情報記憶手段に記憶された場所情報から変化したときに、前記複数の機器のうち変化前の場所に設けられた機器から、その機器の状態を前記ネットワークを通じて取得し、前記複数の機器のうち変化後の場所にある機器を取得した前記機器の状態にするための制御信号を前記制御信号送信手段に送信させる制御手段とを備えた構成を有する。
【００１１】
この構成により、前の場所にある機器の状態をネットワーク経由で取得できるので、場所情報通知装置から送信される場所の情報が変化したとき、すなわち携帯端末が別の場所に移動したときには、新しい場所にある機器の状態を機器状態取得手段によって取得した前の場所にある機器の状態と同じ状態にすることができる。
【００１２】
前記制御手段は、前記複数の機器のうち変化前の場所にある機器と通信を行っていた通信相手の機器に対し、その通信相手の機器と変化後の場所にある機器との間の通信を接続するための制御信号を、前記制御信号送信手段に送信させてもよい。
【００１３】
この構成により、前の場所にある機器が通信していた通信相手の機器と新しい場所にある機器とを接続し、前の場所にある機器と同じ通信状態を保つことができる。
【００１４】
前記制御手段は、前記場所情報受信手段によって受信した場所情報が前記場所情報記憶手段に記憶された場所情報から変化したときに、変化前の場所に設けられた機器の電源を切断するための制御信号を前記制御信号送信手段に送信させてもよい。
【００１５】
この構成により、前の部屋の機器の電源の消し忘れによる電力浪費を防止できる。
【００１６】
本発明の携帯端末は、前記場所情報受信手段によって受信した場所情報が前記場所情報記憶手段に記憶された場所情報から変化したときに、変化後の場所にある機器からその機器を制御するための制御信号の情報を受信する制御信号情報受信手段を備えた構成としてもよい。
【００１７】
この構成により、使われる制御信号が機器ごとに異なる場合でも、制御対象の機器に適した制御信号を送信できる。これを受信する制御対象の機器の側は特別な処理を行わずに通常の機器をそのまま用いることができる。
【００１８】
本発明の携帯端末は、自端末と同じ場所にある機器の情報を操作可能機器として提示する操作可能機器提示手段を備えた構成としてもよい。
【００１９】
この構成により、ユーザに操作可能な機器を知らせることができる。
【００２０】
本発明の携帯端末は、前記場所の情報に関連付けて自端末の制御方法の情報を記憶した制御方法記憶手段を備え、前記制御手段は、前記場所情報受信手段によって受信した場所情報が前記場所情報記憶手段に記憶された場所情報から変化したときに、変化後の場所情報に対応した制御方法の情報を前記制御方法記憶手段から読み出し、読み出した制御方法に従って自端末を制御してもよい。
【００２１】
この構成により、携帯端末を場所に応じて制御することができる。また、各携帯端末は、それぞれが有する制御方法記憶手段に記憶された制御方法に基づいて制御するので、ユーザが所望の制御方法を設定できる。
【００２２】
本発明の別の態様に係る携帯端末は、場所の情報に関連付けて自端末の制御方法の情報を記憶する制御方法記憶手段と、前記場所を示す場所情報をその場所内にある携帯端末に送信する場所情報通知装置から前記場所情報を受信する場所情報受信手段と、前記場所情報受信手段によって受信した場所情報を記憶する場所情報記憶手段と、前記場所情報受信手段によって受信した場所情報が前記場所情報記憶手段に記憶された場所情報から変化したときに、変化後の場所情報に対応した制御方法の情報を前記制御方法記憶手段から読み出し、読み出した制御方法に従って自端末を制御する制御手段とを備えた構成を有する。
【００２３】
この構成により、携帯端末を場所に応じて制御することができる。また、各携帯端末は、それぞれが有する制御方法記憶手段に記憶された制御方法に基づいて制御するので、ユーザが所望の制御方法を設定できる。
【００２４】
また、本発明の形態端末は、前記制御方法として自端末の状態を場所の情報に関連付けて前記制御方法記憶手段に記憶させる制御方法更新手段を備え、前記制御手段は、前記場所情報受信手段によって受信した場所情報が前記場所情報記憶手段に記憶された場所情報から変化した場合に、変化後の場所情報に対応した自端末の状態を読み出し、自端末を、読み出した自端末の状態と同じ状態になるように制御してもよい。
【００２５】
この構成により、制御方法記憶手段に場所の情報に関連付けて記憶された携帯端末の状態の情報を用いて、携帯端末の状態を前の対応する場所での状態と同じ状態にする制御を行える。例えば、前に個人スペースにいて携帯端末の音量を中の設定にしてある状態から、公共のスペースにて行って携帯端末のマナーモードにしたときにも、後に個人スペースに入った場合には、携帯端末は自動的に前の個人スペースの状態と同じく音量を中に設定する。
【００２６】
本発明の機器制御システムは、複数の場所に設けられた各機器と、前記各機器を制御する携帯端末と、前記各場所に設けられ、その場所内にある携帯端末に場所を示す場所情報を送信する場所情報通知装置とを備え、前記携帯端末は、前記機器を制御するための制御信号を前記機器に送信する制御信号送信手段と、前記複数の機器のうち自端末と同じ場所にある前記機器の状態を記憶する機器状態記憶手段と、前記場所情報通知装置から前記場所情報を受信する場所情報受信手段と、前記場所情報受信手段によって受信した場所情報を記憶する場所情報記憶手段と、前記場所情報受信手段によって受信した場所情報が前記場所情報記憶手段に記憶された場所情報から変化したときに、前記複数の機器のうち変化後の場所にある機器を前記機器状態記憶手段に記憶された機器の状態にするための制御信号を前記制御信号送信手段に送信させる制御手段とを備えた構成を有する。
【００２７】
この構成により、本発明の携帯端末と同様に、携帯端末が別の場所に移動したときに、機器状態記憶手段に記憶された情報を用いて、新しい場所の機器の状態を前の場所の機器と同じ状態にすることができる。
【００２８】
本発明の別の態様に係る機器制御システムは、複数の場所に設けられた機器と、前記機器を制御する携帯端末と、前記各場所に設けられ、その場所内にある携帯端末に場所を示す場所情報を送信する場所情報通知装置とを備え、前記携帯端末は、前記機器を制御するための制御信号を前記機器に送信する制御信号送信手段と、前記場所情報通知装置から前記場所情報を受信する場所情報受信手段と、前記場所情報受信手段によって受信した場所情報を記憶する場所情報記憶手段と、前記場所情報受信手段によって受信した場所情報が前記場所情報記憶手段に記憶された場所情報から変化したときに、前記複数の機器のうち変化前の場所に設けられた機器から、その機器の状態の情報を通じて取得し、前記複数の機器のうち変化後の場所にある機器を取得した前記機器の状態にするための制御信号を前記制御信号送信手段に送信させる制御手段とを備えた構成を有する。
【００２９】
この構成により、本発明の携帯端末と同様に、携帯端末が別の場所に移動したときに、前の場所にある機器の状態を取得して、新しい場所の機器の状態を前の場所の機器と同じ状態にすることができる。
【００３０】
本発明の機器制御方法は、複数の場所に設けられた機器を携帯端末によって制御する方法であって、自端末と同じ場所にある前記機器の状態を機器状態記憶手段に記憶し、場所を示す場所情報をその場所内にある携帯端末に送信する場所情報通知装置から前記場所情報を受信し、受信した場所情報がその前に受信した場所情報から変化したときに、前記複数の機器のうち変化後の場所にある機器を前記機器状態記憶手段に記憶された機器の状態にするための制御信号を送信する。
【００３１】
この構成により、本発明の携帯端末と同様に、携帯端末が別の場所に移動したときに、機器状態記憶手段に記憶された情報を用いて、新しい場所の機器の状態を前の場所の機器と同じ状態にすることができる。
【００３２】
本発明の別の態様に係る機器制御方法は、複数の場所に設けられた機器を携帯端末によって制御する方法であって、場所を示す場所情報をその場所内にある携帯端末に送信する場所情報通知装置から前記場所情報を受信し、受信した場所情報がその前に受信した場所情報から変化したときに、変化前の場所に設けられた機器から、その機器の状態の情報を取得し、前記複数の機器のうち変化後の場所にある機器を取得した機器の状態にするための制御信号を送信する。
【００３３】
この構成により、本発明の携帯端末と同様に、携帯端末が別の場所に移動したときに、前の場所にある機器の状態を取得して、新しい場所の機器の状態を前の場所の機器と同じ状態にすることができる。
【発明の効果】
【００３４】
本発明は、携帯端末がいる場所にある機器の状態を機器状態記憶手段に記憶しておく構成により、携帯端末が別の場所に移動したときに、機器状態記憶手段から前の場所の機器の状態を読み出し、読み出した機器の状態を用いて新しい場所の機器の状態を前の場所の機器と同じ状態にすることができるというすぐれた効果を有する。
【発明を実施するための最良の形態】
【００３５】
以下、本発明の実施の形態の機器制御システムについて、図面を用いて説明する。以下の実施の形態では、家庭やオフィスにおいてＬＡＮ環境が構築され、ＬＡＮに接続されたテレビを制御するシステムについて説明するが、本発明の機器制御システムは、例えば、エアコン、ラジオ、照明等のテレビ以外の機器の制御にも適用できる。また、本発明は、家庭やオフィスでの機器の制御に限らず、公共施設での機器の制御等にも適用できる。
【００３６】
図１は、第１の実施の形態の機器制御システムの構成を示す図である。機器制御システムは、ＬＡＮによって接続された複数のテレビ４０ａ，４０ｂと、無線によってＬＡＮに接続してテレビ４０ａ，４０ｂを制御する携帯端末１０と、携帯端末１０に部屋を示す場所情報を書き込む近接検知装置６０とを備えている。本実施の形態において、部屋１および部屋２のそれぞれに設けられたテレビ４０ａ，４０ｂが複数の機器に相当する。以下の説明では、複数のテレビ４０ａ，４０ｂを総称して機器４０という。近接検知装置６０は、部屋の入口に設置され、部屋に入室するユーザが所有する携帯端末１０に対して部屋を示す場所情報を書き込む。これにより、携帯端末１０が、ユーザのいる部屋を識別できる。近接検知装置６０としては、例えば、ＲＦＩＤ（Radio Frequency Identification）ライタを用いることができる。
【００３７】
本実施の形態では、携帯端末１０から各機器４０との間のメッセージ交換および機器４０の制御を行う際のプロトコルとしてＳＩＰ（Session Initiation Protocol）を用いる。機器４０の制御を行う際には、ＳＩＰメッセージに機器４０をリモートコントロールするための制御コードを含めることにより、機器４０に対する指示を実現する。
【００３８】
図２は、携帯端末１０の構成を示す図である。携帯端末１０は、ユーザからの入力を受け付ける入力部１２と、ユーザに対して情報を出力するための出力部１４と、ＳＩＰメッセージの作成または解析を行うＳＩＰメッセージ処理部１６と、携帯電話網およびＬＡＮに無線接続するためのネットワーク送受信部１８と、近接検知装置６０と通信するための近接無線送受信部２０と、全体を制御する全体制御部２２とを備える。
【００３９】
入力部１２は、ユーザからの指示、および音声や動画等のメディアストリームの入力を受け付ける機能を有する。入力部１２は、ハードウェア的には、マウス、ボタン等のユーザからの入力を受け付けるデバイス、およびカメラやマイク等のメディアの入力を受け付けるデバイスによって構成される。
【００４０】
出力部１４は、音声や動画、テキストデータ等の情報の出力を行う機能を有する。出力部１４は、ハードウェア的には、ディスプレイデバイスやスピーカ、ＬＥＤ等によって構成される。
【００４１】
入力部１２および出力部１４は、デバイス制御部２４に接続されている。デバイス制御部２４は、入力部１２から入力された情報を全体制御部２２へ通知し、全体制御部２２から通知された情報を出力部１４によって出力させる機能を有する。
【００４２】
ＳＩＰメッセージ処理部１６は、全体制御部２２からの指示により、ＳＩＰメッセージを作成し、作成したＳＩＰメッセージを全体制御部２２に返す機能と、全体制御部２２からの指示によりＳＩＰメッセージの解析を行い、その解析結果を全体制御部２２に返す機能を有する。
【００４３】
ネットワーク送受信部１８は、全体制御部２２からの指示を受け、ＳＩＰメッセージをＬＡＮ上の機器４０または携帯端末１０に送信する機能と、ＬＡＮ上の機器４０または携帯端末１０から受信したＳＩＰメッセージを全体制御部２２に通知する機能を有する。
【００４４】
近接無線送受信部２０は、近接検知装置６０から情報を受信すると、その情報を全体制御部２２に通知する機能を有する。本実施の形態では、近接無線送受信部２０はＲＦＩＤタグによって構成され、近接検知装置６０としてのＲＦＩＤライタによって書き込まれた部屋の情報を全体制御部２２に通知する。
【００４５】
また、携帯端末１０は、自端末の情報を記憶した自端末情報記憶部２６、制御対象の機器４０の情報を記憶するための他端末情報記憶部２８、および機器４０を制御に用いる制御情報を記憶するためのリモコン制御用コード記憶部３０を備えている。
【００４６】
図３〜図５は、自端末情報記憶部２６に記憶されたデータの例を示す図である。図３は自端末の機器情報を示す。自端末情報記憶部２６には、機器情報として、機器種別、品番、ＳＩＰアドレス、場所情報および前場所情報が記憶されている。このうち、機器種別と品番は静的な情報であり、本システムの動作中に変化しない。これらの情報は、携帯端末１０の出荷時に設定されていてもよいし、ユーザが設定してもよい。ＳＩＰアドレスは、ＬＡＮに接続して機器４０と通信を行う際に用いる自端末のアドレスの情報である。ＳＩＰアドレスは、携帯端末１０がＬＡＮに接続してＩＰアドレスを取得したときに、品番と組み合わせて自動的に生成されてもよいし、ユーザが設定してもよい。場所情報は、近接検知装置６０から送信される場所情報を記憶する。場所情報には、例えば「部屋１」等の場所を示す情報と、場所の種類を示す情報を含む。本実施の形態では、場所の種類の情報は、個人スペースを示す「個人」と公共スペースを示す「公共」の２種類である。前場所情報は、携帯端末１０のユーザが前にいた場所を示す情報である。前場所情報は、新しい場所情報を受信したときに、それまで場所情報に記憶されていた情報が書き込まれる。なお、本システムの動作開始時点において、場所情報および前場所情報には、データが記憶されていないものとする。
【００４７】
図４は、自端末の制御設定を示す。自端末情報記憶部２６には、自端末の制御設定として、動作モードと場所情報が記憶されている。自端末の制御設定は、自端末が場所情報で示される場所にあるときの動作モードを決定するための情報であり、事前にユーザによって設定される。例えば、家庭内で部屋１にあるときには、電源をＯＮとして音量を中程度にする動作が設定されている。
【００４８】
図５は、周辺機器の制御設定を示す。自端末情報記憶部２６には、周辺機器の制御設定として、携帯端末１０が移動して場所が変わったときの移動の形態を示す移動形態と、移動に伴って行うべき制御方針とが記憶されている。例えば、図５によれば、個人スペース間の移動のときには、前の場所の機器の状態を新しい場所の機器に反映し、かつ前の場所の機器の電源をオフする制御が設定されている。この周辺機器の制御設定は、ユーザによって行われる。
【００４９】
図６は、携帯端末１０の他端末情報記憶部２８に記憶されたデータの例を示す図である。他端末情報記憶部２８には、ＬＡＮに接続された機器４０の機器情報と状態の情報が記憶されている。機器情報は、機器種別、品番、ＳＩＰアドレス、名称および場所情報であり、状態は、電源、音量およびチャンネルの情報である。この他端末情報記憶部２８に記憶される他端末情報は、携帯端末１０がＬＡＮを介して機器４０と通信を行い、機器４０から取得する。
【００５０】
図７は、携帯端末１０のリモコン用制御コード記憶部３０に記憶されたデータの例を示す図である。リモコン用制御コード記憶部３０には、ＬＡＮに接続された機器４０を特定する機器情報と、その機器４０を制御するリモコン用制御コードが記憶されている。リモコン用制御コードは、機器４０を制御するための情報であり、機器の種類やメーカーごとに異なる。リモコン用制御コードの情報を記憶することにより、各機器４０に対してその機器４０のためのリモコン用制御コードで命令を出すことができ、機器４０の側は特別な処理を行わずに通常の機器をそのまま用いることができる。なお、リモコン用制御コードは、携帯端末１０の出荷時に設定されていてもよいし、所定のサーバからダウンロードすることにより設定されてもよい。また、出荷後にユーザが手動で、各機器の専用リモコンの発するコードを記憶させることにより設定してもよい。
【００５１】
次に、機器制御システムによって制御される機器４０の構成について説明する。
【００５２】
図８は、機器４０の構成を示す図である。本実施の形態において機器４０はテレビであるので、映像情報を受信して画面に表示する機能を有するが、図８では機器特有の機能を実現する構成は省略している。
【００５３】
図８に示すように、機器４０は、ユーザからの入力を受け付ける入力部４２と、情報の出力を行う出力部４４と、ＳＩＰメッセージの作成または解析を行うＳＩＰメッセージ処理部４６と、ＬＡＮに接続するためのネットワーク送受信部４８と、自端末の情報を記憶した自端末情報記憶部５０と、全体を制御する全体制御部５２とを備える。入力部４２、出力部４４、ＳＩＰメッセージ処理部４６、およびネットワーク送受信部４８の各構成は、携帯端末１０の構成と同じである。
【００５４】
図９は、自端末情報記憶部５０に記憶されたデータの例を示す図である。自端末情報記憶部５０には、機器情報、状態およびリモコン用制御コードが記憶されている。機器情報は、機器種別、品番、ＳＩＰアドレス、名称、場所情報が記憶されている。ＳＩＰアドレスは、ＬＡＮに接続して携帯端末１０と通信を行う際に用いる自端末のアドレスの情報である。ＳＩＰアドレスは、機器４０がＬＡＮに接続してＩＰアドレスを取得したときに、品番と組み合わせて自動的に生成されてもよいし、ユーザが設定してもよい。名称は、機器４０の名称の情報である。名称の情報は携帯端末１０に送信され、携帯端末１０にて表示される。場所情報は、機器４０が設置された場所を示す情報であり、ユーザにより設定される。自端末情報記憶部５０に記憶された状態は、電源、音量、チャンネルの情報である。状態の情報は、機器４０がリモコン用制御コードを受信して機器４０の状態を変更する際に更新される。自端末情報記憶部５０のリモコン用制御コードは、機器４０を特定するためのメーカーコードおよび機器コードと、機器４０を制御する制御コードである。
【００５５】
次に、第１の実施の形態の機器制御システムの動作について説明する。図１０および図１１は機器制御システムの全体の動作を示す図、図１２〜図２１は機器制御システムの詳しい動作を示す図である。
【００５６】
図１０に示すように、携帯端末１０を所有するユーザが家やオフィスに入り、ＬＡＮに接続可能な範囲に入ると、ＬＡＮへの接続処理を行う（Ｓ１０）。ＬＡＮへの接続は、Wireless LANなどの無線でもよいし、イーサネット(登録商標）などの有線による接続でもよい。
【００５７】
図１２は、ネットワークの接続処理を具体的に示す図である。図１２に示すように、ネットワークへの接続を検出すると（Ｓ８０）、携帯端末１０はＩＰアドレスを取得し、携帯端末１０の自端末情報記憶部２６に設定する（Ｓ８２）。ＩＰアドレスは、ＤＨＣＰ（Dynamic Host Configuration Protocol）により自動的に設定されてもよいし、ユーザの設定により固定ＩＰアドレスが設定されてもよい。また、ＩＰアドレスはグローバルアドレスでもローカルアドレスでもよい。
【００５８】
次に、図１０に示すフローで携帯端末１０を携帯するユーザが部屋１に移動すると（Ｓ１２）、部屋１の入口に設置されている近接検知装置６０がＲＦＩＤにより携帯端末１０を検知する（Ｓ１４）。ここで、ＲＦＩＤは、通信距離の長い低周波型のものでもよいし、通信距離の短い高周波型またはマイクロ波型でもよい。通信距離が短い場合には、ユーザが部屋に入るときに携帯端末１０を近接検知装置６０にかざす必要がある。近接検知装置６０に内蔵されたＲＦＩＤライタが、携帯端末１０に内蔵されているタグへ場所情報「部屋１、個人スペース」を書き込む（Ｓ１６）。なお、近接検知装置６０が携帯端末１０を検知して場所情報を送信するのではなく、部屋１の中に常時場所情報を送信し、近接検知装置６０に近づいた携帯端末１０が場所情報を受信する構成でもよい。場所情報が書き込まれた携帯端末１０は、書き込まれた場所情報に基づいて自端末の制御の動作モードを決定し、決定された動作モードによって自端末を制御する（Ｓ１８）。
【００５９】
図１３は、携帯端末１０が動作モードを決定する動作を示す図である。携帯端末１０は、場所情報が書き込まれると、携帯端末１０の近接無線送受信部２０は、場所情報を全体制御部２２に通知し、全体制御部２２は場所情報を自端末情報記憶部２６に記憶する（Ｓ９０）。このとき自端末情報記憶部２６の場所情報に記憶されていた場所情報は、前場所情報として記憶される。次に、携帯端末１０の全体制御部２２は、自端末情報記憶部２６の自端末情報の制御設定から、受信した場所情報と比較して対応する動作モードを読み出す（Ｓ９２）。ここでは、場所情報は、「部屋１」であるので、自端末情報記憶部２６（図４参照）から「電源ＯＮ／音量中」という動作モードが読み出される。続いて、携帯端末１０は、読み出した動作モードに基づいて自端末を制御する（Ｓ９４）。ここでは、携帯端末１０の電源をＯＮとして音量を中に設定する。
【００６０】
携帯端末１０は、自端末の動作モードを設定の後、図１０に示すように、ＬＡＮ上の機器４０に送信するためのＲＥＧＩＳＴＥＲを作成する（Ｓ２０）。ＲＥＧＩＳＴＥＲは、ＳＩＰプロトコルの標準のメッセージであり、ネットワークへの接続を登録するためのメッセージである。ここでは、ＲＥＧＩＳＴＥＲを用いて携帯端末１０と機器４０との間で機器情報を交換する。
【００６１】
図１４は、携帯端末１０がＲＥＧＩＳＴＥＲを作成し、送信する動作を示す図である。携帯端末１０の全体制御部２２は、ＳＩＰメッセージ処理部１６にＲＥＧＩＳＴＥＲの作成を指示する。ＳＩＰメッセージ処理部１６は、まず、ＲＥＧＩＳＴＥＲのヘッダを作成し（Ｓ１００）、次に、場所情報を自端末情報記憶部２６から読み出し、読み出した場所情報をメッセージボディに付記する（Ｓ１０２）。次に、ＳＩＰメッセージ処理部１６は、自端末情報記憶部２６を検索して前場所情報が存在するか否かを判定し（Ｓ１０４）、前場所情報が存在する場合には、前場所情報を読み出してメッセージボディに付記する（Ｓ１０６）。前場所情報が存在しない場合には、前場所情報を付記しないでＲＥＧＩＳＴＥＲが完成する。
【００６２】
図２２（ａ）は、ＲＥＧＩＳＴＥＲの例を示す図である。図２２（ａ）に示すように、ＲＥＧＩＳＴＥＲは、ＳＩＰプロトコルにおけるＲＥＧＩＳＴＥＲヘッダと場所情報が記述されたボディとから構成される。ここでは、ユーザがＬＡＮに接続した後、はじめて部屋１に入ったので、前場所情報が存在しない。
【００６３】
携帯端末１０の全体制御部２２は、作成されたＲＥＧＩＳＴＥＲの送信をネットワーク送受信部１８に指示する。ネットワーク送受信部１８は、ブロードキャストまたはマルチキャストを用いて、ＬＡＮ上の機器４０に対してＲＥＧＩＳＴＥＲを送信する（Ｓ１０８）。このとき使用されるブロードキャストアドレスまたはマルチキャストアドレスは、ユーザが手動で設定してもよいし、ＩＰアドレス／サブネットマスクから、ＬＡＮにおけるブロードキャストアドレスを自動的に決定してもよい。
【００６４】
図１０に示すように、携帯端末１０からＲＥＧＩＳＴＥＲが送信されると（Ｓ２２）、ＬＡＮ上の機器４０はＲＥＧＩＳＴＥＲを受信する。部屋１にあるテレビ４０ａのみならず部屋２にあるテレビ４０ｂもＲＥＧＩＳＴＥＲを受信する。テレビ４０ａ，４０ｂは、ＲＥＧＩＳＴＥＲを受信すると、ＲＥＧＩＳＴＥＲに対する応答を作成する処理を行う（Ｓ２４）。
【００６５】
図１５は、機器４０が応答を作成する動作を示す図である。機器４０の全体制御部５２が、ネットワーク送受信部４８を介してＲＥＧＩＳＴＥＲを受信すると（Ｓ１１０）、ＳＩＰメッセージ処理部４６にメッセージの解析を指示する。機器４０の全体制御部５２は、ＳＩＰメッセージ処理部４６によってＲＥＧＩＳＴＥＲから抽出された場所情報と機器４０の自端末情報記憶部５０に記憶された場所情報とが一致するか否かを判定する（Ｓ１１２）。場所情報が一致しない場合には、全体制御部５２はＲＥＧＩＳＴＥＲを破棄する（Ｓ１２０）。場所情報が一致する場合には、全体制御部５２は、ＳＩＰメッセージ処理部５６に応答メッセージの作成を指示する。この判定により、携帯端末１０と同じ部屋にあるテレビ４０ａだけが携帯端末１０に応答を返信することになる。
【００６６】
ＳＩＰメッセージ処理部４６は、全体制御部５２からの指示に従って、ＲＥＧＩＳＴＥＲに対する応答のヘッダを作成し（Ｓ１１４）、続いて、自端末情報記憶部５０から自端末の機器情報および状態を読み出し、応答のメッセージボディに付記する（Ｓ１１６）。
【００６７】
図２２（ｂ）は、応答メッセージの例を示す図である。図２２（ｂ）に示すように、応答メッセージは、ＳＩＰプロトコルで成功応答を示す２００ＯＫヘッダと、機器情報および状態が記述されたボディとから構成される。
【００６８】
機器４０の全体制御部５２は、作成された応答メッセージの送信をネットワーク送受信部４８に指示し、ネットワーク送受信部４８は応答メッセージを携帯端末１０に送信する（Ｓ１１８）。
【００６９】
図１０に示すように、機器４０から応答メッセージが送信されると（Ｓ２６）、携帯端末１０は応答メッセージを受信し、他端末情報を取得する（Ｓ２８）。
【００７０】
図１６は、携帯端末１０が他端末情報を取得する動作を示す図である。携帯端末１０の全体制御部２２は、ネットワーク送受信部１８を介して機器４０からの応答メッセージを受信し（Ｓ１３０）、ＳＩＰメッセージ処理部１６に受信したメッセージの解析を指示する（Ｓ１３２）。そして、全体制御部２２は、解析の結果得られた機器情報および状態の情報を他端末情報記憶部２８に記憶する（Ｓ１３４）。
【００７１】
携帯端末１０の全体制御部２２は、ＲＥＧＩＳＴＥＲの送信から一定時間が経過した時点で、部屋１にあるすべての機器４０から応答メッセージを受信したと判断する。そして、他端末記憶部の機器情報にリモコン用制御コードが含まれている機器４０の情報を操作可能な機器４０として出力部１４に表示する。これにより、ユーザは、部屋１において、操作できる機器を把握できる。ここではテレビ４０ａが操作可能機器として表示される。ここまでの動作で、部屋１にある機器を操作するための情報が携帯端末１０に記憶され、携帯端末１０はユーザからの操作指示を待つスタンバイ状態となる。
【００７２】
図１０に示すフローで、ユーザからテレビ電源ＯＮの指示が入力されると（Ｓ３０）、携帯端末１０はテレビ電源をＯＮするためのメッセージを作成し、送信する（Ｓ３２）。ここで用いられるメッセージは、ＳＩＰプロトコルのＭＥＳＳＡＧＥである。ＭＥＳＳＡＧＥは、インスタントメッセージング等に用いられるＳＩＰの標準のメッセージである。
【００７３】
図１７は、携帯端末１０がメッセージを作成して送信する動作を示す図である。ユーザからテレビ電源ＯＮの指示が入力されると、携帯端末１０の全体制御部２２は、ＳＩＰメッセージ処理部１６にＭＥＳＳＡＧＥの作成を指示する。ＳＩＰメッセージ処理部１６は、まず、ＭＥＳＳＡＧＥのヘッダを作成し（Ｓ１４０）、続いて、ユーザから入力された操作に対応するリモコン制御用コードを他端末情報記憶部２８から読み出してＭＥＳＳＡＧＥのボディに付記する（Ｓ１４２）。
【００７４】
図２２（ｃ）は、ＭＥＳＳＡＧＥの例を示す図である。図２２（ｃ）に示すように、ＭＥＳＳＡＧＥは、ＳＩＰプロトコルにおけるＭＥＳＳＡＧＥヘッダと、テレビ４０の電源操作を行うことを示すリモコン用制御コードが記述されたボディとから構成される。
【００７５】
携帯端末１０の全体制御部２２は、作成されたＭＥＳＳＡＧＥの送信をネットワーク送受信部１８に指示する。ネットワーク送受信部１８は、他端末情報記憶部２８に記憶された操作対象の機器４０のＳＩＰアドレスを用いて、操作対象の機器４０に対してＭＥＳＳＡＧＥを送信する（Ｓ１４４）。
【００７６】
図１０に示すように、携帯端末１０からＭＥＳＳＡＧＥが送信されると（Ｓ３４）、操作対象のテレビ４０ａがＭＥＳＳＡＧＥを受信する。テレビ４０ａは、ＭＥＳＳＡＧＥを受信すると、ＭＥＳＳＡＧＥに付記されたリモコン制御用コードに従った制御を行うと共にＭＥＳＳＡＧＥに対する応答を作成する（Ｓ３６）。
【００７７】
図１８は、機器４０がＭＥＳＳＡＧＥを受信したときの動作を示す図である。操作対象の機器４０の全体制御部５２は、ネットワーク送受信部４８を介して携帯端末１０から送信されたＭＥＳＳＡＧＥを受信する（Ｓ１５０）。そして、全体制御部５２は、ＳＩＰメッセージ処理部４６を介してＭＥＳＳＡＧＥを解析し、ＭＥＳＳＡＧＥのボディ部に付記されたリモコン用制御コードを取得し、取得したリモコン用制御コードの制御内容を判断する（Ｓ１５２）。ここでは、リモコン用制御コードが電源操作のものであると判断される。
【００７８】
続いて、機器４０の全体制御部５２は、自端末の電源がＯＮ状態か否かを判定する（Ｓ１５４）。自端末の状態が電源ＯＮである場合には、機器４０の全体制御部５２は自端末の電源をＯＦＦにし、自端末情報記憶部５０の自端末の情報を「電源ＯＦＦ」に更新する（Ｓ１５６）。自端末の状態が電源ＯＦＦである場合には、機器４０の全体制御部５２は自端末の電源をＯＮにし、自端末情報記憶部５０の自端末の情報を「電源ＯＮ」に更新する（Ｓ１５８）。次に、機器４０の全体制御部５２は、ＳＩＰメッセージ処理部４６を介して、ＭＥＳＳＡＧＥに対する応答を作成する（Ｓ１６０）。
【００７９】
図２２（ｄ）は、応答メッセージの例を示す図である。図２２（ｄ）に示すように、応答メッセージは、ＳＩＰプロトコルの２００ＯＫヘッダのみにより構成される。
【００８０】
次に、テレビ４０ａのネットワーク送受信部４８は、作成された応答メッセージを携帯端末１０に送信する（Ｓ１６２）。図１０に示すように、テレビ４０ａから成功応答が送信されると（Ｓ３８）、携帯端末１０は成功応答を受信し、電源操作は完了する。
【００８１】
以上は、ユーザが部屋１に入って部屋１にあるテレビ４０ａを操作するときの機器制御システムの動作である。次に、ユーザが部屋１から部屋２に移動したときの機器制御システムの動作について説明する。
【００８２】
図１１に示すように、ユーザが部屋２に移動すると（Ｓ４０）、部屋２の入口に設置された近接検知装置６０が、ＲＦＩＤにより携帯端末１０を検知する（Ｓ４２）。近接検知装置６０は携帯端末１０を検知すると、近接検知装置６０に内蔵されたＲＦＩＤライタが、携帯端末１０に内蔵されているタグに場所情報「部屋２、個人スペース」を書き込む（Ｓ４４）。場所情報が書き込まれた携帯端末１０は、部屋１に入ったときの動作と同様に、書き込まれた場所情報に基づいて自端末の制御の動作モードを決定する（Ｓ４６、図１３参照）。また、携帯端末１０はＳＩＰプロトコルのＲＥＧＩＳＴＥＲを作成し、ＬＡＮ上の機器４０に送信する（Ｓ４８、図１４参照）。携帯端末１０からＲＥＧＩＳＴＥＲが送信されると（Ｓ５０）、ＬＡＮ上の機器４０はＲＥＧＩＳＴＥＲを受信し、応答を作成して携帯端末１０に送信する（Ｓ５２、図１５参照）。携帯端末１０は、部屋２にあるテレビ４０ｂから応答が送信されると（Ｓ５４）、送信された応答を受信し、受信した応答から他端末情報を取得する（Ｓ５６、図１６参照）。これにより、他端末情報記憶部２８には、部屋１にあるテレビ４０ａの他端末情報に加えて部屋２にあるテレビ４０ｂの他端末情報が記憶されることになる。
【００８３】
続いて、携帯端末１０は、自端末情報記憶部２６から周辺機器の制御設定（図５参照）を読み出し、機器４０に対する制御を決定する（Ｓ５８）。ここでは、部屋１及び部屋２はともに個人スペースであるので、前場所である部屋１のテレビ４０ａの状態を部屋２のテレビ４０ｂに反映し、かつ部屋１のテレビ４０ａの電源をＯＦＦする制御を行う。
【００８４】
図１９は、部屋２にあるテレビ４０ｂの状態を部屋１にあるテレビ４０ａの状態と同じにする動作を示す図である。まず、携帯端末１０は、部屋１にあるテレビ４０ａと同じ種類の機器が部屋２にあるか否かを判定する。ここでは、部屋２にはテレビ４０ｂがあるので、部屋１と同じ種類の機器（テレビ）があると判定される（Ｓ１７０）。次に、携帯端末１０は、ＳＩＰメッセージ処理部１６にＭＥＳＳＡＧＥの作成を指示する。ＳＩＰメッセージ処理部１６は、まず、ＭＥＳＳＡＧＥのヘッダを作成する（Ｓ１７２）。次に、ＳＩＰメッセージ処理部１６は、部屋１にあるテレビ４０ａの状態と部屋２にあるテレビ４０ｂの状態を他端末情報記憶部２８から読み出し、続いて、部屋２にあるテレビ４０ｂの状態を部屋１にあるテレビ４０ａの状態と同じにするためのリモコン制御用コードを他端末情報記憶部２８から読み出す（Ｓ１７４）。テレビ４０ｂの状態としては、電源、チャンネルおよび音量の状態があり、これらの状態をテレビ４０ａと同じにするためのリモコン制御用コードを読み出す。そして、読み出したリモコン制御用コードを付記したＭＥＳＳＡＧＥを作成し（Ｓ１７６）、作成したＭＥＳＳＡＧＥをテレビ４０ｂに送信する（Ｓ１７８）。
【００８５】
図１１に示すように、携帯端末からＭＥＳＳＡＧＥが送信されると（Ｓ６０）、テレビ４０ｂはＭＥＳＳＡＧＥを受信し、受信したＭＥＳＳＡＧＥに従って制御を行うと共に、ＭＥＳＳＡＧＥに対する応答を作成する（Ｓ６２）。
【００８６】
図２０は、携帯端末１０から送信されたＭＥＳＳＡＧＥを受信したときのテレビ４０ｂの動作を示す図である。テレビ４０ｂは、携帯端末１０から送信されたＭＥＳＳＡＧＥを受信すると（Ｓ１８０）、受信したＭＥＳＳＡＧＥを解析してリモコン制御用コードを取得し、取得したリモコン制御用コードに基づいて自端末の制御を行って自端末の状態を変更する（Ｓ１８２）。その後、テレビ４０ｂは、ＳＩＰメッセージ処理部４６を介してＭＥＳＳＡＧＥに対する成功応答を作成し（Ｓ１８４）、携帯端末１０に送信する（Ｓ１８６）。これにより、テレビ４０ｂの状態を、前の場所である部屋１のテレビ４０ａの状態と同じにできる。
【００８７】
図１１に示すように、テレビ４０ｂから成功応答が送信されると（Ｓ６４）、携帯端末１０は成功応答を受信する。続いて、携帯端末１０は、部屋１にあるテレビ４０ａに対する制御を決定し、メッセージを作成する（Ｓ６６）。
【００８８】
図２１は、前の部屋にある機器４０に対する制御を決定し、決定された制御を行う動作を示すフローである。携帯端末１０は、他端末情報記憶部２８から前の場所にあるテレビ４０ａの状態を読み出す。ここで、テレビ４０ａの電源状態がＯＮであることが読み出される。自端末情報記憶部２６に記憶された制御設定には、前の場所の機器の電源をＯＦＦする制御が記憶されているので、携帯端末１０はテレビ４０ａの電源操作が必要であると判断する（Ｓ１９０）。携帯端末１０は、テレビ４０ａの電源操作を行うためのリモコン制御用コードを他端末情報記憶部２８から読み出し、読み出したリモコン制御用コードをボディに付記したＭＥＳＳＡＧＥを作成し（Ｓ１９２）、テレビ４０ａに送信する（Ｓ１９４）。
【００８９】
図１１に示すように、携帯端末１０からＭＥＳＳＡＧＥが送信されると（Ｓ６８）テレビ４０ａは、電源操作のリモコン用制御コードが付記されたＭＥＳＳＡＧＥを受信し、受信したＭＥＳＳＡＧＥに従って電源をＯＦＦし、ＭＥＳＳＡＧＥに対する応答を携帯端末１０に送信する（Ｓ７０）。ここでのテレビ４０ａの処理は、図１８にて説明したフローに従って行われる。これにより、部屋１にあるテレビ４０ａの電源をＯＦＦできる。テレビ４０ａから成功応答が送信されると（Ｓ７２）、携帯端末１０が成功応答を受信して、部屋１にあるテレビ４０ａに対する操作が完了する。
【００９０】
以上、第１の実施の形態の機器制御システムについて説明した。
【００９１】
第１の実施の形態の機器制御システムは、ユーザが部屋１から部屋２に移動したときに、携帯端末１０が、他端末情報記憶部２８に記憶された部屋１のテレビ４０ａの状態を読み出し、部屋２にあるテレビ４０ｂの状態を部屋１にあるテレビ４０ａの状態と同じになるように制御する。これにより、ユーザが操作しなくても、新しい場所のテレビ４０ｂの状態を、前の場所にあるテレビ４０ａの状態と同じにできるので便利である。
【００９２】
また、第１の実施の形態の機器制御システムは、ユーザが部屋２に移動したときに、前の場所である部屋１のテレビ４０ａの電源をＯＦＦするので、電力の浪費を防止できる。
【００９３】
また、第１の実施の形態の機器制御システムでは、自端末情報記憶部２６に、自端末の制御設定として、場所情報と動作モードとを関連付けて記憶しており、この制御設定に基づいて場所情報に対応する携帯端末１０の動作モードを決定するので、携帯端末１０を場所に応じて適切に制御することができる。
【００９４】
なお、上記した実施の形態では、携帯端末１０からのＲＥＧＩＳＴＥＲを受信した機器４０は、ＲＥＧＩＳＴＥＲに付記された場所情報と、自端末情報に記憶された場所情報とを比較して、場所情報が同じ場合にＲＥＧＩＳＴＥＲに対する応答を返信する構成とし、携帯端末１０がある部屋の機器４０から機器情報および状態を取得することとしたが、機器４０側での場所情報の判定を省略し、携帯端末１０がある部屋以外にある機器４０から機器情報および状態を取得可能としてもよい。これにより、部屋を移動したときに、前の部屋にある機器４０の状態を取得することができるので、前の部屋にある機器４０の最新の状態に基づいて前の部屋の機器４０を制御できる。例えば、部屋１のテレビ４０ａを携帯端末１０以外の手段で操作した場合、他端末情報記憶部２８の情報は更新されないが、部屋１のテレビ４０ａの状態を取得することによって、他端末情報記憶部２８を最新の状態に更新でき、これに基づいて適切な制御を行える。
【００９５】
また、本実施の形態の携帯端末１０の他端末情報記憶部２８には、携帯端末１０の移動に応じて、移動した部屋にあった機器の状態の情報を蓄積してもよい。例えば、携帯端末１０を携帯するユーザが部屋１から部屋２、部屋２から部屋３へと移動した場合には、携帯端末１０は、部屋１、部屋２および部屋３の機器の状態の情報を他端末情報記憶部２８に蓄積する。このように、ユーザが過去に行った部屋の機器状態の情報を蓄積することにより、携帯端末１０は新しい部屋の機器の状態を２つ以上前の場所の機器の状態とすることが可能となる。
【００９６】
次に、本発明の第２の実施の形態の機器制御システムについて説明する。
【００９７】
図２３は、第２の実施の形態の機器制御システムの構成を示す図である。機器制御システムは、第１の実施の形態と同様に、ＬＡＮによって接続された複数の機器４０と、無線によってＬＡＮに接続して機器４０を制御する携帯端末１０と、携帯端末１０の近接を検知して携帯端末１０に部屋の情報を書き込む近接検知装置６０とを備えている。第２の実施の形態においては、複数の機器４０は、部屋１および部屋２のそれぞれに設けられたテレビ４０ａ，４０ｂと、テレビ４０ａ，４０ｂに映す動画を配信する部屋３に設けられたＤＶＤ４０ｃである。
【００９８】
図２４は、第２の実施の形態の携帯端末１０の構成を示す図である。第２の実施の形態の携帯端末１０は、基本的な構成は第１の実施の形態と同じであるが、リモコン制御用コード記憶部３０に代えてセッション情報記憶部３２を有する点が異なる。また、自端末情報記憶部２６および他端末情報記憶部２８に記憶された情報も第１の実施の形態とは異なる。
【００９９】
図２５および図２６は、自端末情報記憶部２６に記憶されたデータの例を示す図である。図２５は、自端末の機器情報を示す。自端末情報記憶部２６には、機器情報として、機器種別、品番、ＳＩＰアドレス、場所情報が記憶されている。これらは、第１実施の形態の機器情報と同じである。第２の実施の形態では、自端末情報記憶部２６に前場所情報が含まれていない。
【０１００】
図２６は、周辺機器の制御設定を示す。自端末情報記憶部２６には、周辺機器の制御設定として、通話やメディアの再生を行いながら、携帯端末１０のユーザが移動して場所が変わったときの制御の方針が設定されている。本実施の形態では、図２６に示すように、ストリーミング再生中に携帯端末１０のいる場所が変わったときに、ストリーミング再生の出力先を同じ場所情報を持つデバイスに変更し、同じ場所情報を持つデバイスがない場合には、ストリーミング再生を停止することが規定されている。
【０１０１】
図２７は、他端末情報記憶部２８に記憶されたデータの例を示す図である。他端末情報記憶部２８には、ＬＡＮに接続された各機器４０の機器情報が記憶されている。機器情報には、機器種別、品番、ＳＩＰアドレス、名称、場所情報、機能、コーデックの各情報が含まれる。このうち、機器種別、品番、ＳＩＰアドレス、名称、場所情報は、第１の実施の形態の他端末情報と同じである。機能は、その機器４０の機能の情報であり、コーデックはその機器４０が使用可能なコーデックの情報である。
【０１０２】
図２８は、セッション情報記憶部３２に記憶されたデータの例を示す図である。セッション情報記憶部３２には、機器４０の間で確立されているセッションの情報が記憶されている。図２８に示す例では、テレビ４０ａとＤＶＤ４０ｃとの間で確立されたセッションの使用コーデック、ＳＩＰアドレス、メディア送信アドレスポート、メディア受信アドレスポートの各情報が記憶されている。
【０１０３】
次に、機器制御システムによって制御される機器４０の構成について説明する。図２９は、第２の実施の形態の機器４０の構成を示す図である。第２の実施の形態の機器４０は、基本的な構成は第１の実施の形態の機器４０と同じであるが、セッション情報記憶部５６と、メディア制御部５８とを有する点が異なる。また、自端末情報記憶部５０に記憶された情報も第１の実施の形態とは異なる。
【０１０４】
図３０は、機器４０の自端末情報記憶部５０に記憶されたデータの例を示す図である。自端末情報記憶部５０には、機器種別、品番、ＳＩＰアドレス、名称、場所情報、機能、コーデック、メディア受信アドレスおよびポートの各情報が記憶されている。このうち、機器種別、品番、ＳＩＰアドレス、名称、場所情報は、第１の実施の形態の機器４０の自端末情報と同じである。機能はその機器の機能であり、コーデックはその機器が使用可能なコーデックである。これらの情報は、機器の出荷時に設定される。メディア受信アドレスは、ＩＰアドレス取得時に同じ値が設定される。ポート番号は、出荷時に設定されてもよいし、ユーザが設定してもよい。
【０１０５】
図３１は、セッション情報記憶部５６に記憶されたデータの例を示す図である。セッション情報記憶部５６は、自端末が参加しているセッションに関する情報を記憶する。図３１に示すように、セッション情報記憶部５６には、相手ＵＲＩ、メディアコーデック、メディア送信先アドレスおよびポートの各情報が記憶されている。なお、図３１に示す例は、テレビ４０ａがストリーミング配信を受信する際のセッション情報である。テレビ４０ａはメディアを送信しないため、メディア送信先アドレスが設定されていない。
【０１０６】
メディア制御部５８は、ネットワーク送受信部４８を介して音声や映像のメディアを受信すると、受信したメディアをデバイス制御部５２を介して出力部４４に渡す機能を有する。これにより、出力部４４は、メディア制御部５８から渡されたメディアを出力する。また、入力部４２を介して入力されたメディアをデバイス制御部５４を介して受信し、受信したメディアをネットワーク送受信部４８へ渡す機能を有する。これにより、ネットワーク送受信部４８は、メディア制御部５８から渡されたメディアを送信する。
【０１０７】
次に、第２の実施の形態の機器制御システムの動作について説明する。
【０１０８】
図３２〜図３４は第２の実施の形態の機器制御システムの全体の動作を示す図、図３５〜図４８は機器制御システムの詳細な動作を示す図である。
【０１０９】
図３２に示すように、携帯端末１０を所有するユーザが家やオフィスに入り、ＬＡＮに接続可能な範囲に入ると、ＬＡＮへの接続処理を行う（Ｓ２００）。ＬＡＮへの接続処理は、図１２を用いて説明した第１の実施の形態と同様に行う。
【０１１０】
次に、携帯端末１０を携帯するユーザが部屋１に移動すると（Ｓ２０２）、部屋１の入口に設置されている近接検知装置６０がＲＦＩＤにより携帯端末１０を検知する（Ｓ２０４）。近接検知装置６０は、近接検知装置６０に内蔵されたＲＦＩＤライタが、携帯端末１０に内蔵されているタグへ部屋情報「部屋１」を書き込む（Ｓ２０６）。部屋情報が書き込まれると、携帯端末１０は、ＳＩＰプロトコルのＲＥＧＩＳＴＥＲを作成する（Ｓ２０８）。
【０１１１】
図３５は、携帯端末１０がＲＥＧＩＳＴＥＲを作成し、送信する動作を示す図である。まず、携帯端末１０の全体制御部２２は、ＳＩＰメッセージ処理部１６にＲＥＧＩＳＴＥＲの作成を指示し、ＳＩＰメッセージ処理部１６は、ＲＥＧＩＳＴＥＲを作成する（Ｓ３００）。
【０１１２】
図４９（ａ）は、ＲＥＧＩＳＴＥＲの例を示す図である。図２２（ａ）に示すように、ＲＥＧＩＳＴＥＲは、ＳＩＰプロトコルのＲＥＧＩＳＴＥＲヘッダのみから構成される。
【０１１３】
携帯端末１０の全体制御部２２は、作成されたＲＥＧＩＳＴＥＲの送信をネットワーク送受信部１８に指示する。ネットワーク送受信部１８は、ブロードキャストまたはマルチキャストを用いて、ＬＡＮ上の機器４０に対してＲＥＧＩＳＴＥＲを送信する（Ｓ３０２）。
【０１１４】
図３２に示すように、携帯端末１０からＲＥＧＩＳＴＥＲが送信されると（Ｓ２１０）、ＬＡＮ上の機器４０がＲＥＧＩＳＴＥＲを受信する。部屋１にあるテレビ４０ａのみならず部屋２にあるテレビ４０ｂ、部屋３にあるＤＶＤ４０ｃもＲＥＧＩＳＴＥＲを受信する。各機器４０は、ＲＥＧＩＳＴＥＲを受信すると、ＲＥＧＩＳＴＥＲに対する応答を作成する処理を行う（Ｓ２１２）。
【０１１５】
図３６は、機器４０が応答を作成する動作を示す図である。機器４０の全体制御部５２が、ネットワーク送受信部４８を介してＲＥＧＩＳＴＥＲを受信すると（Ｓ３１０）、ＳＩＰメッセージ処理部４６に応答メッセージの作成を指示する。ＳＩＰメッセージ処理部４６は、ＲＥＧＩＳＴＥＲに対する成功応答のヘッダを作成する（Ｓ３１２）。続いて、ＳＩＰメッセージ処理部４６は、自端末情報記憶部５０から自端末情報を読み出し、読み出した自端末情報を応答メッセージのボディに付記し、応答メッセージを作成する（Ｓ３１４）。
【０１１６】
図４９（ｂ）は、応答メッセージの例を示す図である。図４９（ｂ）に示すように、応答メッセージは、ＳＩＰプロトコルで成功応答を示す２００ＯＫヘッダと、機器４０の自端末情報が記述されたボディとから構成される。
【０１１７】
そして、機器４０の全体制御部５２は、作成された成功応答メッセージの送信をネットワーク送受信部４８に指示し、ネットワーク送受信部４８がＲＥＧＩＳＴＥＲに対する成功応答を携帯端末１０に送信する（Ｓ３１６）。
【０１１８】
図３２に示すように、機器４０から成功応答が送信されると（Ｓ２１４）、携帯端末は成功応答を受信し、受信した成功応答メッセージに含まれる他端末情報を取得する（Ｓ２１６）。
【０１１９】
図３７は、携帯端末１０が他端末情報を取得する動作を示す図である。携帯端末１０の全体制御部２２は、ネットワーク送受信部１８を介して機器４０からの応答メッセージを受信し（Ｓ３２０）、ＳＩＰメッセージ処理部１６に受信したメッセージの解析を指示する（Ｓ３２２）。そして、全体制御部２２は、解析の結果得られた機器情報および状態の情報を他端末情報記憶部２８に記憶する（Ｓ３２４）。ここまでの動作で、携帯端末１０はユーザからの操作指示を待つスタンバイ状態となる。
【０１２０】
ユーザからＤＶＤ４０ｃによるメディア再生の指示が入力されると、図３３に示すように、携帯端末１０の全体制御部２２は、他端末情報に基づいてメディアの表示機器を決定する（Ｓ２１８）。
【０１２１】
図３８は、表示機器を決定し、決定した表示機器へのメディア出力を要求するメッセージを送信する動作を示す図である。携帯端末１０の全体制御部２２は、他端末情報記憶部２８に記憶された他端末情報を読み出し、読み出した情報に基づいて自端末と同じ場所情報を持つ機器が存在するか否かを判定する（Ｓ３３０）。この判定の結果、自端末と同じ場所情報を有する機器がない場合には、携帯端末１０は、ユーザへメディア再生が不可能であることを通知し（Ｓ３３２）、処理を終了する（Ｓ３３４）。自端末と同じ場所情報を有する機器がある場合には、その機器がメディアの受信および再生機能を有するか否かを判定する（Ｓ３３６）。この判定の結果、同じ場所情報を有する機器がメディアの受信および再生機能を有しない場合には、携帯端末１０は、ユーザへメディア再生が不可能であることを通知し（Ｓ３３２）、処理を終了する（Ｓ３３４）。自端末と同じ場所情報を有する機器４０がメディアの受信および再生機能を有する場合には、携帯端末１０は、ＩＮＶＩＴＥの作成をＳＩＰメッセージ処理部１６に指示する。ＳＩＰメッセージ処理部１６は、ＩＮＶＩＴＥのヘッダを作成し（Ｓ３３８）、続いて、セッション記述を作成してメッセージボディに付記してＩＮＶＩＴＥを作成する（Ｓ３４０）。
【０１２２】
図４９（ｃ）は、ＩＮＶＩＴＥの例を示す図である。図４９（ｃ）に示すように、ＩＮＶＩＴＥのボディ部には、ＳＤＰによるセッション記述が付記される。携帯端末１０が部屋１にある場合、携帯端末１０と同じ場所情報を持ち、かつメディアの表示を行う機能を持つのはテレビ４０ａである。したがって、ＩＮＶＩＴＥのボディ部には、メディア受信をテレビ４０ａに指示するためのセッション記述がなされる。
【０１２３】
携帯端末１０の全体制御部２２は、作成されたＩＮＶＩＴＥの送信をネットワーク送受信部１８に指示し、ネットワーク送受信部１８はＩＮＶＩＴＥを送信する（Ｓ３４２）。
【０１２４】
図３３に示すように、携帯端末１０からＩＮＶＩＴＥが送信されると（Ｓ２２０）、表示機器として選択された部屋１のテレビ４０ａが、携帯端末１０からのＩＮＶＩＴＥを受信する。そして、テレビ４０ａは、受信したＩＮＶＩＴＥのセッション記述に従ってセッション情報を更新すると共に、ＩＮＶＩＴＥに対する応答を作成する（Ｓ２２２）。
【０１２５】
図３９は、ＩＮＶＩＴＥを受信したテレビ４０ａの動作を示す図である。テレビ４０ａのネットワーク送受信部４８がＩＮＶＩＴＥを受信すると（Ｓ３５０）、テレビ４０ａの全体制御部５２は、受信したＩＮＶＩＴＥの解析をＳＩＰメッセージ処理部４６に指示し、その解析結果を受け取る（Ｓ３５２）。テレビ４０ａの全体制御部５２は、ＩＮＶＴＥの解析の結果得られた情報に基づいて、セッション情報の内容を更新し（Ｓ３５４）、メディア制御部５８に対してメディア受信の開始を指示する（Ｓ３５６）。そして、テレビ４０ａはＳＩＰメッセージ処理部４６にＩＮＶＩＴＥに対する成功応答の作成を指示し、作成された成功応答を受け取る（Ｓ３５８）。続いて、テレビ４６ａは、作成された成功応答をネットワーク送受信部４８を介して携帯端末１０へ送信する（Ｓ３６０）。
【０１２６】
図４９（ｄ）は、応答メッセージの例を示す図である。このメッセージのボディ部には、ＳＤＰによるセッション記述が付記されている。このセッション記述により、ＤＶＤ４０ｃのメディア送信先アドレス／ポート、つまりテレビ４０ａのメディア受信アドレス／ポートが指定される。
【０１２７】
図３３に示すように、テレビ４０ｃからの成功応答が送信されると（Ｓ２２４）、携帯端末１０は、テレビ４０ａから送信された成功応答を受信し、受信した成功応答に基づいてセッション情報を更新する（Ｓ２２６）。
【０１２８】
図４０は、成功応答を受信した携帯端末１０の動作を示す図である。携帯端末１０のネットワーク送受信部１８がテレビ４０ａからの成功応答を受信すると（Ｓ３６０）、携帯端末１０の全体制御部２２はＳＩＰメッセージ処理部１６に受信したメッセージの解析を指示し、その解析結果を受け取る（Ｓ３６２）。携帯端末１０の全体制御部２２は、解析の結果得られたテレビ４０ａのメディア受信アドレスを用いて、セッション情報記憶部３２の内容を更新する（Ｓ３６４）。続いて、携帯端末１０は、ＳＩＰメッセージ処理部１６にＡＣＫの作成を指示し（Ｓ３６６）、作成されたＡＣＫをネットワーク送受信部１８を介してテレビ４０ａへ送信する（Ｓ３６８）。
【０１２９】
図４９（ｅ）は、ＡＣＫの例を示す図である。ＡＣＫは、ヘッダのみからなるデータである。
【０１３０】
図３３に示すフローで、携帯端末１０からテレビ４０ａにＡＣＫを送信した後（Ｓ２２８）、携帯端末１０は、ＤＶＤ４０ｃに対して、テレビ４０ａとの間のセッション接続のためのメッセージを送信する（Ｓ２３０）。
【０１３１】
図４１は、ＤＶＤ４０ｃにセッションの開始メッセージを送信する携帯端末１０の動作を示す図である。携帯端末１０の全体制御部２２は、他端末情報記憶部２８からＤＶＤ４０ｃの情報を取得し（Ｓ３７０）、取得した情報に基づいて、ＩＮＶＩＴＥの作成をＳＩＰメッセージ処理部１６に指示する。ＳＩＰメッセージ処理部１６は、ＩＮＶＩＴＥのヘッダを作成し（Ｓ３７２）、続いてセッション記述を作成してＩＮＶＩＴＥのボディに付記する（Ｓ３７４）。次に、携帯端末１０の全体制御部２２は、作成されたＩＮＶＩＴＥの送信をネットワーク送受信部１８に指示し、ネットワーク送受信部１８はＩＮＶＩＴＥを送信する（Ｓ３７６）。ここで送信されるＩＮＶＩＴＥは、図４９（ｃ）に示すデータと同様に、ＩＮＶＩＴＥのヘッダとＳＤＰによるセッション記述から構成される。このセッション記述には、テレビ４０ａのメディア受信アドレス／ポートが指定される。
【０１３２】
図３３に示すように、携帯端末１０からＩＮＶＩＴＥが送信されると（Ｓ２３２）、ＤＶＤ４０ｃは、携帯端末１０から送信されたＩＮＶＩＴＥを受信し、受信したＩＮＶＩＴＥに基づいてセッション情報を更新すると共に、ＩＮＶＩＴＥに対する応答を作成する（Ｓ２３４）。
【０１３３】
図４２は、ＩＮＶＩＴＥを受信したＤＶＤ４０ｃの動作を示す図である。ＤＶＤ４０ｃのネットワーク送受信部４８が携帯端末１０からのＩＮＶＩＴＥを受信すると（Ｓ３８０）、ＤＶＤ４０ｃの全体制御部５２は、受信したＩＮＶＩＴＥの解析をＳＩＰメッセージ処理部４６に指示し、その解析結果を受け取る（Ｓ３８２）。ＤＶＤ４０ｃの全体制御部５２は、ＩＮＶＩＴＥの解析の結果得られた情報に基づいてセッション情報記憶部５６の内容を更新し（Ｓ３８４）、メディアの送信を開始する（Ｓ３８６）。すなわち、全体制御部５２は、メディア送信先アドレス／ポート（テレビ４０ａのメディア受信アドレス／ポート）を用いて、メディア制御部５８に対してメディア送信の開始を指示する。続いて、ＤＶＤ４０ｃは、ＳＩＰメッセージ処理部４６にＩＮＶＩＴＥに対する成功応答の作成を指示し、作成された成功応答を受け取る（Ｓ３８８）。続いて、ＤＶＤ４０ｃは、ネットワーク送受信部４８を介して携帯端末１０へ送信する（Ｓ３９０）。このとき送信される応答メッセージは、図４９（ｄ）に示すデータと同様に、メッセージのボディ部には、ＳＤＰによるセッション記述が付記される。
【０１３４】
図３３に示すように、ＤＶＤ４０ｃから成功応答が送信されると（Ｓ２３６）、携帯端末１０は、ＤＶＤ４０ｃからの応答メッセージを受信し、受信した成功応答に基づいてセッション情報を更新する（Ｓ２３８）。
【０１３５】
図４３は、成功応答を受信した携帯端末１０の動作を示す図である。携帯端末１０のネットワーク送受信部１８がＤＶＤ４０ｃからのＩＮＶＩＴＥに対する成功応答を受信すると（Ｓ４００）、携帯端末１０の全体制御部２２はＳＩＰメッセージ処理部１６に受信したメッセージの解析を指示し、その結果を受け取る（Ｓ４０２）。携帯端末１０の全体制御部２２は、解析の結果得られたＤＶＤ４０ｃのメディア送信アドレスを用いて、セッション情報記憶部３２を更新する（Ｓ４０４）。この時点で携帯端末１０のセッション情報記憶部３２に記憶されたデータの例を図２８に示す。
【０１３６】
続いて、携帯端末１０は、ＳＩＰメッセージ処理部１６にＡＣＫの作成を指示し（Ｓ４０６）、作成されたＡＣＫをネットワーク送受信部１８を介してＤＶＤ４０ｃへ送信する（Ｓ４０８）。このとき送信されるＡＣＫは、図４９（ｅ）に示すように、ヘッダのみからなるデータである。
【０１３７】
以上の動作により、部屋３にあるＤＶＤ４０ｃと部屋１にあるテレビ４０ａとのセッション接続が確立し、図３３に示すように、ＤＶＤ４０ｃからテレビ４０ａへのメディア配信が実現される（Ｓ２４２）。
【０１３８】
次に、図３４を参照して、ユーザが部屋１から部屋２に移動したときの機器制御システムの動作について説明する。ユーザが部屋１から部屋２へ移動すると（Ｓ２４４）、部屋２の入口に設けられた近接検知装置６０が携帯端末１０を検知し（Ｓ２４６）、近接検知装置６０に内蔵されたＲＦＩＤが携帯端末１０に新たな場所情報「部屋２」を書き込む（Ｓ２４８）。携帯端末１０の全体制御部２２は、自端末情報記憶部２６の場所情報を「部屋２」に変更する。携帯端末１０の場所情報が変更されると、携帯端末１０の全体制御部２２は、新たな表示機器を決定する（Ｓ２５０）。
【０１３９】
図４４は、新たな表示機器を決定し、決定した表示機器へのメディア出力を要求するメッセージを送信する動作を示す図である。携帯端末１０の全体制御部２２は、他端末情報記憶部２８に記憶された他端末情報を読み出し、読み出した情報に基づいて自端末と同じ場所情報を持つ機器が存在するか否かを判定する（Ｓ４１０）。この判定の結果、自端末と同じ場所情報を有する機器がない場合には、携帯端末１０は、ユーザにメディア再生が不可能である旨を出力部１４から通知し（Ｓ４１２）、また、現在メディアを再生・送信中であるＤＶＤ４０ｃに対してＢＹＥメッセージの作成・発行を行い（Ｓ４１４）、メディアの停止を指示して処理を終了する（Ｓ４１６）。自端末と同じ場所情報を有する機器がある場合には、その機器がメディアの受信および再生機能を有するか否かを判定する（Ｓ４１８）。この判定の結果、同じ場所情報を有する機器がメディアの受信および再生機能を有しない場合には、携帯端末１０は、同じ場所情報を有する機器が存在しない場合と同様に、ユーザへメディア再生が不可能であることを通知し（Ｓ４１２）、ＤＶＤ４０ｃへの再生停止処理を行って（Ｓ４１４）、処理を終了する（Ｓ４１６）。自端末と同じ場所情報を有する機器４０がメディアの受信および再生機能を有する場合には、携帯端末１０は、ＩＮＶＩＴＥの作成をＳＩＰメッセージ処理部１６に指示する。ＳＩＰメッセージ処理部１６は、ＩＮＶＩＴＥのヘッダを作成し（Ｓ４２０）、続いて、セッション記述を作成してメッセージボディに付記してＩＮＶＩＴＥを作成する（Ｓ４２２）。携帯端末１０が部屋２にある場合、携帯端末１０と同じ場所情報を持ち、かつメディアの表示を行う機能を持つのはテレビ４０ｂである。したがって、メディア受信をテレビ４０ｂに指示するためのセッション記述がなされる。
【０１４０】
携帯端末１０の全体制御部２２は、作成されたＩＮＶＩＴＥの送信をネットワーク送受信部１８に指示し、ネットワーク送受信部１８はＩＮＶＩＴＥを送信する（Ｓ４２４）。
【０１４１】
図３４に示すように、携帯端末１０からＩＮＶＩＴＥが送信されると（Ｓ２５２）、表示機器として選択されたテレビ４０ｂが、携帯端末１０からのＩＮＶＩＴＥを受信し、セッション記述に従ってセッション情報を更新すると共に、ＩＮＶＩＴＥに対する応答を作成する（Ｓ２５４）。テレビ４０ｂは、すでに説明した図３９に示すフローに従ってセッション情報の更新およびメディアの受信を開始し、携帯端末１０へ成功応答メッセージを送信する（Ｓ２５６）。
【０１４２】
携帯端末１０は、テレビ４０ｂからの成功応答を受信すると、すでに説明した図４０に示すフローに従って、成功応答に対するＡＣＫを作成し（Ｓ２５８）、テレビ４０ｂに送信する（Ｓ２６０）。
【０１４３】
次に、携帯端末１０は、すでに説明した図４１に示すフローに従って、ＩＮＶＩＴＥを作成し（Ｓ２６２）、作成されたＩＮＶＩＴＥをＤＶＤ４０ｃに送信する（Ｓ２６４）。携帯端末１０から送信されたＩＮＶＩＴＥを受信したＤＶＤ４０ｃは、セッション情報を更新し、ＩＮＶＩＴＥに対する応答を作成する（Ｓ２６６）。
【０１４４】
図４５は、携帯端末１０から送信されたＩＮＶＩＴＥを受信したＤＶＤ４０ｃの動作を示す図である。ＤＶＤ４０ｃのネットワーク送受信部４８が携帯端末１０からのＩＮＶＩＴＥを受信すると（Ｓ４３０）、ＤＶＤ４０ｃの全体制御部２２は、受信したＩＮＶＩＴＥの解析をＳＩＰメッセージ処理部４６に指示し、その解析結果を受け取る（Ｓ４３２）。ＤＶＤ４０ｃの全体制御部５２は、ＩＮＶＩＴＥの解析の結果得られた情報に基づいてセッション情報の内容を更新し（Ｓ４３４）、メディアの送信先を変更する（Ｓ４３６）。すなわち、全体制御部５２は、メディア送信先アドレス／ポート（テレビ４０ｂのメディア受信アドレス／ポート）を用いて、メディア制御部５８にメディア送信の開始を指示する。続いて、ＤＶＤ４０ｃは、ＳＩＰメッセージ処理部４６にＩＮＶＩＴＥに対する成功応答の作成を指示し、作成された成功応答を受け取る（Ｓ４３８）。続いて、ＤＶＤ４０ｃは、ネットワーク送受信部４８を介して携帯端末１０へ送信する（Ｓ４４０）。
【０１４５】
図３４に示すように、ＤＶＤ４０ｃから成功応答が送信されると（Ｓ２６８）、携帯端末１０は、ＤＶＤ４０ｃから送信された成功応答を受信し、すでに説明した図４３に示すフローに従って、ＤＶＤ４０ｃにＡＣＫを作成し（Ｓ２７０）、送信する（Ｓ２７２）。以上の動作により、携帯端末１０のセッション情報の中のＤＶＤ４０ｃのメディア送信先アドレス／ポートがテレビ４０ａの受信アドレス／ポートからテレビ４０ｂの受信アドレス／ポートに変更される。また、ＤＶＤ４０ｃからテレビ４０ｂにメディアが送信される（Ｓ２７４）。
【０１４６】
次に、携帯端末１０は、テレビ４０ａでのメディア受信処理を停止する（Ｓ２７６）。
【０１４７】
図４６は、テレビ４０ａでのメディア受信処理を停止する動作を示す図である。携帯端末１０の全体制御部２２は、ＳＩＰメッセージ処理部１６にＢＹＥの作成を指示し、作成されたＢＹＥを受け取る（Ｓ４５０）。続いて、携帯端末１０は、ネットワーク送受信部１８を介して、作成されたＢＹＥをテレビ４０ａへ送信する（Ｓ４５２）。
【０１４８】
図４９（ｆ）は、このとき送信されるＢＹＥの例を示す図である。図４９（ｆ）に示されるようにＢＹＥは、ＳＩＰプロトコルのＢＹＥヘッダのみからなるメッセージである。
【０１４９】
図３４に示すように、携帯端末１０からＢＹＥが送信されると（Ｓ２７８）、テレビ４０ａは、携帯端末１０から送信されるＢＹＥを受信し、セッション情報を更新すると共にＢＹＥに対する応答を作成する（Ｓ２８０）。
【０１５０】
図４７は、ＢＹＥを受信したテレビ４０ａの動作を示す図である。テレビ４０ａのネットワーク送受信部４８がＢＹＥを受信すると（Ｓ４６０）、テレビ４０ａの全体制御部５２は、ＳＩＰメッセージ処理部４６にＢＹＥの解析を指示し、その解析結果を受け取る（Ｓ４６２）。テレビ４０ａの全体制御部５２は、ＢＹＥの解析の結果、メディア受信のセッション情報を削除し（Ｓ４６４）、メディア受信の停止をメディア制御部５８に指示する（Ｓ４６６）。テレビ４０ａは、ＳＩＰメッセージ処理部４６にＢＹＥに対する成功応答の作成を指示し（Ｓ４６８）、作成された成功応答をネットワーク送受信部４８を介して携帯端末１０へ送信する（Ｓ４７０）。
【０１５１】
図４９（ｇ）は、ここで送信される成功応答の例を示す図である。図４９（ｇ）に示すように、成功応答は、ＳＩＰプロトコルの２００ＯＫヘッダのみからなるメッセージである。
【０１５２】
図３４に示すように、テレビ４０ａから成功応答が送信されると（Ｓ２８２）、携帯端末１０は、テレビ４０ａから送信された成功応答を受信し、セッション情報を更新する（Ｓ２８４）。
【０１５３】
図４８は、成功応答を受信した携帯端末１０の動作を示す図である。携帯端末１０のネットワーク送受信部１８が応答メッセージを受信すると（Ｓ４８０）、携帯端末１０の全体制御部２２は、ＳＩＰメッセージ処理部１６にメッセージの解析を指示し、その解析結果を受け取る（Ｓ４８２）。携帯端末１０の全体制御部２２は、成功応答の解析結果に基づいて、セッション情報記憶部３２のテレビ４０ａに関する情報を削除する（Ｓ４８４）。
【０１５４】
以上、第２の実施の形態の機器制御システムの動作について説明した。
【０１５５】
第２の実施の形態の機器制御システムは、ＤＶＤ４０ｃからのストリーミング再生中にユーザが部屋１から部屋２に移動したときに、メディアの出力先を部屋１のテレビ４０ａから部屋２のテレビ４０ｂへ自動的に切り替え、部屋２のテレビ４０ｂを部屋１のテレビ４０ａと同じ状態にすることができるという効果を有する。
【０１５６】
以上、本発明の機器制御システムについて、実施の形態を挙げて詳細に説明したが、本発明は上記した実施の形態に限定されるものではない。
【０１５７】
上記した実施の形態では、近接検知装置６０にＲＦＩＤライタを、携帯端末１０にＲＦＩＤタグを備えることにより、近接検知装置６０から携帯端末１０へ場所情報を書き込む形態を取ったが、近接検知装置６０にＲＦＩＤタグ、携帯端末１０にＲＦＩＤリーダ若しくはリーダライタを備えることにより、携帯端末１０が近接検知装置６０のＲＦＩＤタグに書き込まれた場所情報を読み込む形態を取ってもよい。また、ＲＦＩＤの代わりにＢｌｕｅｔｏｏｔｈ等の他の近接無線技術を使用することも可能である。
【０１５８】
また、上記した実施の形態では、携帯端末１０と機器４０とのメッセージ交換および制御手段としてＳＩＰを用いたが、ＵＰｎＰ（ユニバーサルプラグアンドプレイ）などの他の手段を用いてもよい。また、携帯端末１０による機器４０の制御は、ＬＡＮ経由によるメッセージ送信ではなく、通常のリモコンと同様に赤外線通信によって行うことも可能である。
【０１５９】
また、上記した実施の形態において、自端末情報記憶部２６に記憶された自端末の制御設定を更新可能としてもよい。すなわち、動作モードの情報を携帯端末１０の状態に応じて更新することにより、次に同じ場所情報を有する場所に入ったときに、携帯端末１０を同じ動作モードで動作させることができる。
【０１６０】
また、上記した第２の実施の形態では、同じ場所情報を持つディスプレイデバイスがない場合には、携帯端末１０はユーザへ対してメディア再生が不可能である旨を通知する処理を行ったが、携帯端末１０自身を表示機器として用いて、ＤＶＤ４０ｃからのメディアを受信する形態をとってもよい。また、メディアの再生を一時的に保留し、メディアを表示可能なディスプレイデバイスがある場所へ移動した時点で、自動的にメディア再生を再開することにより、ＤＶＤ４０ｃからのストリーミング再生を実現してもよい。
【０１６１】
また、上記した第２の実施の形態では、ＤＶＤ４０ｃからのストリーミング再生の例を説明したが、通話やテレビ会議等のコミュニケーションを行うセッションにおいても、同様の処理を行うことにより、ユーザの移動に伴って音声や映像などのメディアの出力先の切り替えを実現することが可能である。
【産業上の利用可能性】
【０１６２】
以上説明したように、本発明は、携帯端末のユーザが別の場所に移動したときに、機器状態記憶手段から前の場所の機器の状態を読み出し、読み出した機器の状態を用いて新しい場所の機器を前の場所の機器と同じ状態にすることができるというすぐれた効果を有し、一つの携帯端末によって複数の機器を制御する機器制御システム等として有用である。
【図面の簡単な説明】
【０１６３】
【図１】第１の実施の形態の機器制御システムの全体構成を示す図
【図２】第１の実施の形態の携帯端末の構成を示す図
【図３】自端末情報記憶部に記憶されたデータの例を示す図
【図４】自端末情報記憶部に記憶されたデータの例を示す図
【図５】自端末情報記憶部に記憶されたデータの例を示す図
【図６】他端末情報記憶部に記憶されたデータの例を示す図
【図７】リモコン制御用コード記憶部に記憶されたデータの例を示す図
【図８】第１の実施の形態の機器の構成を示す図
【図９】自端末情報記憶部に記憶されたデータの例を示す図
【図１０】第１の実施の形態の機器制御システムの全体の動作を示す図
【図１１】第１の実施の形態の機器制御システムの全体の動作を示す図
【図１２】第１の実施の形態の機器制御システムの詳細な動作を示す図
【図１３】第１の実施の形態の機器制御システムの詳細な動作を示す図
【図１４】第１の実施の形態の機器制御システムの詳細な動作を示す図
【図１５】第１の実施の形態の機器制御システムの詳細な動作を示す図
【図１６】第１の実施の形態の機器制御システムの詳細な動作を示す図
【図１７】第１の実施の形態の機器制御システムの詳細な動作を示す図
【図１８】第１の実施の形態の機器制御システムの詳細な動作を示す図
【図１９】第１の実施の形態の機器制御システムの詳細な動作を示す図
【図２０】第１の実施の形態の機器制御システムの詳細な動作を示す図
【図２１】第１の実施の形態の機器制御システムの詳細な動作を示す図
【図２２】第１の実施の形態の機器制御システムで用いられるメッセージの例を示す図
【図２３】第２の実施の形態の機器制御システムの全体構成を示す図
【図２４】第２の実施の形態の携帯端末の構成を示す図
【図２５】自端末情報記憶部に記憶されたデータの例を示す図
【図２６】自端末情報記憶部に記憶されたデータの例を示す図
【図２７】他端末情報記憶部に記憶されたデータの例を示す図
【図２８】セッション情報記憶部に記憶されたデータの例を示す図
【図２９】第２の実施の形態の機器の構成を示す図
【図３０】自端末情報記憶部に記憶されたデータの例を示す図
【図３１】セッション情報記憶部に記憶されたデータの例を示す図
【図３２】第２の実施の形態の機器制御システムの全体の動作を示す図
【図３３】第２の実施の形態の機器制御システムの全体の動作を示す図
【図３４】第２の実施の形態の機器制御システムの全体の動作を示す図
【図３５】第２の実施の形態の機器制御システムの詳細な動作を示す図
【図３６】第２の実施の形態の機器制御システムの詳細な動作を示す図
【図３７】第２の実施の形態の機器制御システムの詳細な動作を示す図
【図３８】第２の実施の形態の機器制御システムの詳細な動作を示す図
【図３９】第２の実施の形態の機器制御システムの詳細な動作を示す図
【図４０】第２の実施の形態の機器制御システムの詳細な動作を示す図
【図４１】第２の実施の形態の機器制御システムの詳細な動作を示す図
【図４２】第２の実施の形態の機器制御システムの詳細な動作を示す図
【図４３】第２の実施の形態の機器制御システムの詳細な動作を示す図
【図４４】第２の実施の形態の機器制御システムの詳細な動作を示す図
【図４５】第２の実施の形態の機器制御システムの詳細な動作を示す図
【図４６】第２の実施の形態の機器制御システムの詳細な動作を示す図
【図４７】第２の実施の形態の機器制御システムの詳細な動作を示す図
【図４８】第２の実施の形態の機器制御システムの詳細な動作を示す図
【図４９】第２の実施の形態で用いられるメッセージの例を示す図
【符号の説明】
【０１６４】
１０  携帯端末
１２  入力部
１４  出力部
１６  ＳＩＰメッセージ処理部
１８  ネットワーク送受信部
２０  近接無線送受信部
２２  全体制御部
２４  デバイス制御部
２６  自端末情報記憶部
２８  他端末情報記憶部
３０  リモコン制御用コード記憶部
３２  セッション情報記憶部
４０  機器
４２  入力部
４４  出力部
４６  ＳＩＰメッセージ処理部
４８  ネットワーク送受信部
５０  自端末情報記憶部
５２  全体制御部
５４  デバイス制御部
５６  セッション情報記憶部
５８  メディア制御部
６０  近接検知装置
【図１】
2005244705.tif 000003
【図２】
2005244705.tif 000004
【図３】
2005244705.tif 000005
【図４】
2005244705.tif 000006
【図５】
2005244705.tif 000007
【図６】
2005244705.tif 000008
【図７】
2005244705.tif 000009
【図８】
2005244705.tif 000010
【図９】
2005244705.tif 000011
【図１０】
2005244705.tif 000012
【図１１】
2005244705.tif 000013
【図１２】
2005244705.tif 000014
【図１３】
2005244705.tif 000015
【図１４】
2005244705.tif 000016
【図１５】
2005244705.tif 000017
【図１６】
2005244705.tif 000018
【図１７】
2005244705.tif 000019
【図１８】
2005244705.tif 000020
【図１９】
2005244705.tif 000021
【図２０】
2005244705.tif 000022
【図２１】
2005244705.tif 000023
【図２２】
2005244705.tif 000024
【図２３】
2005244705.tif 000025
【図２４】
2005244705.tif 000026
【図２５】
2005244705.tif 000027
【図２６】
2005244705.tif 000028
【図２７】
2005244705.tif 000029
【図２８】
2005244705.tif 000030
【図２９】
2005244705.tif 000031
【図３０】
2005244705.tif 000032
【図３１】
2005244705.tif 000033
【図３２】
2005244705.tif 000034
【図３３】
2005244705.tif 000035
【図３４】
2005244705.tif 000036
【図３５】
2005244705.tif 000037
【図３６】
2005244705.tif 000038
【図３７】
2005244705.tif 000039
【図３８】
2005244705.tif 000040
【図３９】
2005244705.tif 000041
【図４０】
2005244705.tif 000042
【図４１】
2005244705.tif 000043
【図４２】
2005244705.tif 000044
【図４３】
2005244705.tif 000045
【図４４】
2005244705.tif 000046
【図４５】
2005244705.tif 000047
【図４６】
2005244705.tif 000048
【図４７】
2005244705.tif 000049
【図４８】
2005244705.tif 000050
【図４９】
2005244705.tif 000051